(57)【要約】【課題】 分解組立が容易でクラゲや流木・塵芥などがフロートとネットとの隙間から侵入しないようにできる海水浴場などの浮きェンスを提供する。【解決手段】 胴部４１と海底に向けて張り出したフランジ４２とを有する複数のフロート４をシート５で連結して帯状ネット組立体２を形成する。シート５とフロート４とは着脱自在にボルト・ナットなどで互いに接合される。胴部４１には縦ロープ１１が巻かれていて、この縦ロープ１１で横ロープ８を胴部４１とフランジ４２との境界線あたりに拘束する。ネット３は、その上端がフランジ４２と重なり合うように、横ロープ８に吊り下げられる。【選択図】        図１
2005171721.tif 000002
【特許請求の範囲】
【請求項１】
水中に垂下させた状態でネットを支持するのに使用されるフロートにおいて、浮力を生じさせる筒状の胴部と、使用時の姿勢で前記胴部から上向きおよび下向きのうち少なくとも一方に張り出している縦フランジとを備えたことを特徴するフロート。
【請求項２】
前記縦フランジが、使用時の姿勢で下方に張り出している部分と前記胴部との境界線近傍に複数のロープ孔を有していることを特徴とする請求項２記載のフロート。
【請求項３】
前記胴部の外周に、その両端が前記ロープ孔につながるロープ案内溝が形成されていることを特徴とする請求項２記載のフロート。
【請求項４】
使用時の姿勢で胴部から横方向に拡張して延在する横フランジを備え、該横フランジに、隣接部材を連結するための連結部が設けられていることを特徴とする請求項１〜３のいずれかに記載のフロート。
【請求項５】
前記胴部内に低密度材料を収容していることを特徴とする請求項１〜４のいずれかに記載のフロート。
【請求項６】
請求項１〜５のいずれかに記載された複数の前記フロートを帯状に連結して形成された帯状フロート組立体。
【請求項７】
前記フロート同士がシート部材を介して着脱自在に連結されていることを特徴とする請求項６記載の帯状フロート組立体。
【請求項８】
前記ロープ孔および前記ロープ案内溝を通って前記胴部に巻かれた縦ロープと、
前記ネットを吊り下げる前記縦ロープによって前記胴部と前記横フランジとの境界線近傍に拘束され、前記複数のフロートの連結方向に延長された横ロープとを備え、
前記横ロープおよび縦ロープの少なくとも一方に前記ネットを吊り下げて使用されることを特徴とする請求項６または７に記載の帯状フロート組立体。
【請求項９】
請求項６〜８のいずれかに記載された帯状フロート組立体と、該帯状フロート組立体に吊り下げられたネットとを備えたことを特徴とする浮きフェンス。
【発明の詳細な説明】
【技術分野】
【０００１】
本発明は、フロートおよび該フロートを用いた帯状フロート組立体ならびに浮きフェンスに関し、特に、海洋、河川、湖水等の水面に浮かべて使用する浮き体（フロート）およびこのフロートでネットを吊り下げて水中に設置するのに好適な帯状フロート組立体ならびに帯状フロート組立体を含む浮きフェンスに関する。
【背景技術】
【０００２】
海水浴場では、海面に浮遊する塵芥やクラゲ等の侵入を防ぐために浮きフェンスを海上に浮かべて使用することがある。特に、沖縄などでは毒性の高い触手を持ったハブクラゲの侵入を防ぐために浮きフェンスが利用されている。
【０００３】
図５は、従来の海水浴場用浮きフェンスの正面図であり、図６は拡大平面図である。図において、浮きフェンス１００は、帯状フロート１０２と、帯状フロート１０２に上端を固定されて水中に吊り下げられる防護ネット１０３とからなる。帯状フロート１０２は、ビニールチューブ内に、発泡スチロールからなる円柱体を、例えば１ｍ間隔で配列し、この円柱体間をミシンなどで縫って部分フロート１０１ａを複数形成する。これによって前記円柱体がビニールチューブ内を移動しないようにし、しかも帯状フロート１０２全体として容易に形状を変えられるようにしている。
【０００４】
そして、帯状フロート１０２自体は１０〜２０ｍ程度に構成し、これを連結してさらに長尺の帯状フロートを形成する。この帯状フロート１０２に防護ネット１０３を吊り下げることにより、海水浴場に適したサイズの浮きフェンス１００が形成される。
【０００５】
この従来の浮きフェンス１００では、防護ネット１０３と帯状フロート１０２との間に防護ネット１０３の重みで隙間ができてしまい、この隙間からクラゲの触手が侵入したり流木や塵芥などが侵入するおそれがある。このような、防護ネット１０３の弛みによる隙間を無くするためには、防護ネット１０３と帯状フロート１０２との固定部分の間隔つまり取付ピッチを小さくすることが考えられる。
【０００６】
特開平７−１５８０４１号公報には、複数のフロートをシートで包み込んで形成された帯状フロートと、前記シートとは別のシートで上縁を包み込んだ小サイズのネットとを有する海水浴場の防護ネットが開示されている。この防護ネットは、隣接する前記シート同士を連結金具とワイヤを使用してつなぎ合わせることにより、より大きいサイズの防護ネットに変形可能である。
【特許文献１】特開平７−１５８０４１号公報
【発明の開示】
【発明が解決しようとする課題】
【０００７】
図に示した従来の浮きフェンス１００や上記公報に開示された防護ネットは、次の問題点を有する。すなわち、浮きフェンス１００では、防護ネット１０３による弛みで隙間を生ずるという不具合の他、最小の帯状フロートが１０〜２０ｍ程度の長尺であり、さらにこれを接合もしくは縫い合わせて海水浴場などに適した長尺の帯状フロートを構成しているので、一部が破損した場合にもこの長尺の帯状フロート全体を新品と交換しなければならないという問題点がある。
【０００８】
また、上記公報に開示された防護ネットでは、帯状フロートとネットとを密に連結しなければ、ネットと帯状フロートとの間に隙間を生ずるという不具合を解消することはできない。つまり、この防護ネットは、上記公報に記載されたように、帯状フロートとネットとをワイヤで縫うようにして連結しており、こうしなければシートが弛んで隙間が生じるという問題点を有している。
【０００９】
さらに、上記公報の防護ネットでは、複数のフロートをシートで包み込むという煩雑さがあるし、複数のフロートを包んで帯状フロートを形成しているので、図５，６に示した上記浮きフェンスの場合と同様、帯状フロートの一部が破損したときに交換が厄介であるという問題点がある。
【００１０】
本発明は、上記問題点に鑑み、帯状フロート組立体と防護ネットとの間に隙間を生じないようにするとともに、帯状フロート組立体が破損した場合などに、メンテナンスを容易にすることができるフロートおよび帯状フロート組立体ならびに浮きフェンスを提供することを目的とする。
【課題を解決するための手段】
【００１１】
上記の課題を解決し、目的を達成するための本発明は、水中に垂下させた状態でネットを支持するのに使用されるフロートにおいて、浮力を生じさせる筒状の胴部と、使用時の姿勢で前記胴部から上方向および下方向の少なくとも一方に張り出している縦フランジとを備えた点に第１の特徴がある。
【００１２】
また、本発明は、前記縦フランジが、使用時の姿勢で下方に張り出している部分と前記胴部との境界線近傍に複数のロープ孔を有している点に第２の特徴があり、前記胴部の外周に、その両端が前記ロープ孔につながるロープ案内溝がさらに形成されている点に第３の特徴がある。
【００１３】
また、本発明は、使用時の姿勢で胴部から横方向に拡張して延在する横フランジを備え、該横フランジに、隣接部材を連結するための連結部が設けられている点に第４の特徴があり、前記胴部内に低密度材料を収容している点に第５の特徴がある。
【００１４】
さらに、本発明は、前記フロートを複数連結して帯状に形成した点に第６の特徴があり、複数の前記フロート同士がシート部材を介して着脱自在に連結されている点に第７の特徴がある。
【００１５】
またさらに、本発明は、前記ロープ孔および前記ロープ案内溝を通って前記胴部に巻かれた縦ロープと、前記ネットを保持する前記縦ロープによって前記胴部と前記縦フランジとの境界線近傍に拘束され、前記フロートおよびシート部材の連結方向に延長された横ロープとを備え、前記横ロープおよび縦ロープの少なくとも一方に前記ネットを吊り下げて使用される点に第８の特徴がある。
【発明の効果】
【００１６】
上記特徴を有する本発明は、フロートが上または下もしくは上下方向に張り出した縦フランジを有しており、この縦フランジと胴部との境界線近傍にネットを吊り下げて使用することによってネットの上部と下方に張り出した縦フランジとが重ね合わされるようになるので、ネットがフロートの幅の範囲内で弛んでもフロートとネットとの間に隙間を生じない。したがって、クラゲもしくはクラゲの触手や塵芥・流木などの侵入を確実に防止できる。
【００１７】
また、フロートが破損した場合に破損したフロートだけを取り外して修理や交換を行うことができる。特に、シートでフロート同士を連結して構成した帯状フロート組立体は、分解、組み立て、および補修等が容易であり、交換や運搬が容易であるばかりでなく、種々の長さに容易に対応することができる。したがって、海水浴場や生け簀などに適したスケールで臨機応変に浮きフェンスを提供することができる。
【００１８】
さらに、胴部から下方に張り出して縦フランジを設けたフロートでは、この縦フランジを重力方向と逆方向、つまり上に向けた状態で使用することもできる。例えば、定置網漁において、胴部にネットとして漁網を吊り下げて使用すれば、フロートの縦フランジは、水面上に張り出して見えやすくなるので、定置網の位置を示す浮標としての効果をよりよく発揮することができる。
【発明を実施するための最良の形態】
【００１９】
以下、図面を参照して本発明を詳細に説明する。図１は本発明の一実施形態に係る帯状フロート組立体を含む浮きフェンスの正面図であり、海水浴場に設置された状態を示す。図１において、浮きフェンス１は、浮きフェンス１に浮力を与える帯状フロート組立体２と帯状フロート組立体２に取り付けられて海中に吊り下げられたネット３とからなる。帯状フロート組立体２は海面ＳＳに浮かび、ネット３の下端は海底ＳＢもしくは海底ＳＢ近くに達するように設置される。ネット３の下端にはネット３の位置を定めるための錘（図示せず）が取り付けられる。
【００２０】
帯状フロート組立体２は、複数のフロート４と各フロート４を互いに連結するシート５とからなる。フロート４は、好ましくは樹脂成型品によって形成され、ネット３を支持するための浮力を発生させることができる容積を有する筒状の胴部４１と、胴部４１から張り出されたフランジ４２とからなる。フランジ４２は、フロート４の使用時の姿勢で、下方つまり海底ＳＢ側に張り出した縦フランジ４２１と、側方もしくは横方向つまり前記シート５側に張り出した横フランジ４２２とを備える。横フランジ４２２は主として前記シート５とフロート４とを連結する取付部としての機能を有し、縦フランジ４２１は主としてフロート４に対して隙間を生じさせないようにネット３を取り付ける取付部としての機能を有する。
【００２１】
シート５としては、ビニールシートやゴムシートなど折り曲げ容易な材料を選択するのがよい。これによって、フロート４を常温では変形しにくい（剛性が大きい）樹脂製品などで形成しても、帯状フロート組立体２全体としては容易に変形して浮きフェンス１の形状を自在に選択できる。なお、シート５は、フロート４の縦方向の全幅に広がるものでなくてもよく、少なくとも前記フランジ４２の海底側端部から水面に至る領域をカバーできるサイズであればよい。
【００２２】
フロート４同士はシート５を使用して連結するのに限らず、プレート状の部品同士を変形自在に連結する周知の連結手段を使用して連結することができる。例えば、線状物体（ロープ、ワイヤ、ひも等）、チェーン、波形のシート、蝶番、ネットならびにこれらの組み合わせ部材などを使用できる。但し、これらの場合でも、使用時に水没する領域は、シート５を併用するとか、ネットを使用するのであればメッシュを細かくするとかに配慮する。
【００２３】
上記構成の浮きフェンスでは、図１から理解できるように、フロート４に吊り下げられたネット３とフロート４の胴部４１との間には隙間が生じているけれども、ネット３の上端は海底ＳＢ側に張り出した縦フランジ４２１の下端より上方にある。つまり、本実施形態の浮きフェンス１においては、ネット３が垂れ下がったときでも、ネット３の上部は縦フランジ４２１と重なっているので、実質的にフロート４とネット３との間には隙間が生じない。
【００２４】
図２は、フロート４の正面図、図３は平面図である。フロート４の横フランジ４２２には、前記シート５とを連結する際にボルトを挿通させるための連結部であるボルト孔４３が左右にそれぞれ縦１列に、合計６個所に形成される。連結部はボルト孔４３に限らない。例えば、横フランジ４２２にねじ付きの突起つまりボルトを一体的に形成し、別に準備するナットと組み合わせて連結するようにしてもよい。また、縦フランジ４２１と胴部４１との境つまり縦フランジ４２１と胴部４１とが接する領域に沿って横一列に３個所に孔（ロープ孔）４４が穿たれている。なお、このロープ孔４４は縦フランジ４２１と胴部４１との境から縦フランジ４２１の下端方向に偏った位置にあってもよい。要は、ネット３の弛みを考慮してもネット３の上縁が縦フランジ４２１の下端より上になるように位置を設定してあればよい。
【００２５】
さらに、胴部４１には、前記ロープ孔４４が形成されている位置から胴部４１を取り巻くように周方向に延長された外周溝（ロープ案内溝）４１１が形成されている。これらロープ孔４４および外周溝４１１は、後述するようにネット３をロープで吊り下げるために利用される。胴部４１は中空であり、液密に構成されるので、フロート４は中空のまま浮力発生体として使用できる。しかし、使用中に胴部４１に孔が開くなどの損傷が生じた場合にも、さらに浮力発生体としての機能を維持できるようにするため内部に発泡スチロールなどの低密度部材を内蔵してあってもよい。
【００２６】
図４は、帯状フロート組立体２の要部拡大図である。この図では、２個のフロート４をシート５で連結した部分を示す。図４において、一方のフロート４（例えば左側のフロート４）の横フランジ４２２には、シート５の一端が重ね合わせられ、３組のボルト・ナット６でフランジ４２とシート５とを接続している。一方、シート５の他端は他方のフロート４（例えば右側のフロート４）の横フランジ４２２と重ね合わされ、ボルト・ナット７で互いに接続されている。なお、シート５をビニールやゴムなどで形成する場合、ボルト・ナットによる接続部の強度が十分に得られないことがある。そこで図示のようにボルト・ナットによる接続部の補強のために、プレート９，１０が用いられる。プレート９，１０は、前記補強のためだけではなくネット吊り下げ用に設けられる横ロープ８を帯状フロート組立体２に固定する機能を有する。
【００２７】
横ロープ８は、フロート４の胴部４１に巻き付けられた縦ロープ１１で胴部４１に沿って保持される。縦ロープ１１は、前記フロート４のロープ孔４４を貫通し、前記外周溝４１１に沿うようにして胴部４１に巻かれる。縦ロープ１１は前記ロープ孔４４および前記外周溝４１１に嵌っているので、フロート４の長さ方向に位置がずれない。縦ロープ１１は、３列に配置された孔４４および外周溝４１１のすべてを利用して３個所に設けてもよいが、図４のように少なくとも胴部４１の端部寄りにそれぞれ設けてあればよい。外周溝４１１の数は３本に限定されないし、胴部４１の中心線に直交する面内に形成されていなくてもよい。
【００２８】
胴部４１の下面に沿って設けられた横ロープ８に加えて、胴部４１の上部にも横ロープ１２を設けることができる。胴部４１の上部に設けられる横ロープ１２によってシート５の弛みが防止される効果がある。しかし、この横ロープ１２はシート５の形状をよりよく保持するために追加的に設けるものであって、これを使用しなくても浮きフェンス１としての機能を果たすことはできる。
【００２９】
ネット３は、下方の横ロープ８の任意の個所にその上端を連結して吊り下げることができる。好ましくは縦ロープ１１と横ロープ８との交差部にネット３を連結して吊り下げるのがよい。
【００３０】
上述の帯状フロート組立体２は、フロート４の胴部４１から下方に縦フランジが張り出す構成になっているので、ネット３が多少垂れ下がることがあっても帯状フロート組立体２との間に隙間が生じない。したがって、海面近くに浮遊しているクラゲや塵芥等が、浮きフェンスで区切られた領域に侵入してくるのを効果的に防止することができる。また、ネット３を帯状つまり連続的ではなく間隔をおいてロープ８等に取り付けるだけでよいので、フロート４やシート５が破損した場合、その破損した部分でロープ８等からネットを取り外し、その部分の両端の連結を解除するだけで、容易に交換や修理などのメンテナンスを講じることができる。
【００３１】
なお、上記実施形態では、海水浴場に設置された浮きフェンス１を例に説明したが、本発明はこれに限定されることなく適用できる。例えば、ダムや河川等で流木や塵芥が流入するのを防止するために使用できるし、魚介の養殖や定置網漁等に使用する生け簀や漁網のフロートとして使用することができる。
【００３２】
例えば、フロート４は、帯状のフロートしてだけではなく複数を単体で配置して定置網のフロートとして使用することができる。この場合には、図４等に示した態様とは異なり、フロート４を天地逆にして、縦フランジ４２１を上に位置させた状態で使用する。つまり、漁網を支持する胴部４１から上向きに縦フランジ４２１を張り出させる。これにより、胴部４１の上部のみならずフランジ４２が海面から突き出すようになる。したがって、フロート４の海面からの突き出し高さが高くなり、定置網設置位置の浮標として機能させることができる。
【００３３】
フロート４は、縦フランジ４２１を下向きに張り出させるものに限らず、上下いずれの方向にも張り出させるようにすれば、上述のいずれの向きで使用する用途にも容易に対応できる。例えば、上下両方に縦フランジが突出していれば、生け簀において、塵芥等の流入を防止しつつ魚が外部に飛び出すのも同時に防止することができる。
【図面の簡単な説明】
【００３４】
【図１】本発明の一実施形態に係る帯状フロート組立体を含む浮きフェンスの正面図である。
【図２】本発明の一実施形態に係るフロートの正面図である。
【図３】本発明の一実施形態に係るフロートの平面図である。
【図４】帯状フロート組立体２の要部拡大図である。
【図５】従来の海水浴場用浮きフェンスの正面図である。
【図６】従来の海水浴場用浮きフェンスの平面図である。
【符号の説明】
【００３５】
１…浮きフェンス、  ２…帯状フロート組立体、  ３…ネット、  ４…フロート、  ５…シート、  ６，７…ボルト・ナット、  ８…横ロープ、  １１…縦ロープ、  ４１…胴部、  ４２…フランジ、  ４３…ボルト孔、  ４４…ロープ孔
【図１】
2005171721.tif 000003
【図２】
2005171721.tif 000004
【図３】
2005171721.tif 000005
【図４】
2005171721.tif 000006
【図５】
2005171721.tif 000007
【図６】
2005171721.tif 000008